(57)【要約】【課題】  多数のレジスタを内蔵する表示装置において、当該レジスタへの初期値（レジスタ値）の設定や変更を簡易かつ短時間で行うことができるとともに、マイクロプロセッサ等の処理負担を軽減することができる表示駆動装置及びその駆動制御方法を提供する。【解決手段】  液晶表示装置１００は、複数の表示画素Ｐｘが２次元配列された液晶表示パネル１１０と、所定のタイミングで走査信号を順次印加するゲートドライバ１２０と、表示データに基づく表示信号電圧を印加するソースドライバ１３０と、ゲートドライバ１２０及びソースドライバ１３０の動作状態を制御するための制御信号を生成して出力するＬＣＤコントローラ１４０と、外部記憶部ＲＯＭから読み出されたシーケンスデータ（レジスタ値）に基づいて、種々の動作モードを設定するためのモード信号を生成するレジスタ１８０と、を備えた構成を有している。【選択図】  図１
2005070232.tif 000002
【特許請求の範囲】
【請求項１】
複数の表示画素が２次元配列された表示パネルに対して、走査信号を印加して前記表示画素を選択状態に設定する走査駆動手段と、前記選択状態に設定された前記表示画素に、表示データに基づく表示信号電圧を印加する信号駆動手段と、少なくとも前記走査駆動手段及び前記信号駆動手段の動作状態を制御することにより、前記表示パネルにおける画像情報の表示動作を制御する駆動制御手段と、を備えた表示駆動装置において、
少なくとも、
前記駆動制御手段に所定の動作モード制御信号を供給して、前記表示パネルの表示動作を規定する複数の動作モード設定手段と、
前記複数の動作モード設定手段の各々を特定するための特定情報、及び、該特定された前記動作モード設定手段に前記表示動作を規定するための設定値が、相互に対応付けて複数格納された設定値保持手段と、
を有することを特徴とする表示駆動装置。
【請求項２】
前記設定値保持手段は、前記特定情報及び前記設定値がアドレス毎に格納された記憶領域を有し、
前記表示駆動装置は、少なくとも、前記記憶領域に格納された前記特定情報及び前記設定値を、前記記憶領域のアドレス順に順次読出し、該特定情報及び該設定値に基づいて、前記複数の動作モード設定手段の各々に対して、前記設定値を設定するための所定の制御動作を実行する設定制御手段を有することを特徴とする請求項１記載の表示駆動装置。
【請求項３】
前記記憶領域の最終アドレスにおける前記特定情報または前記設定値の少なくともいずれかに、該記憶領域の前記読出し動作を停止させる特定の値が格納されていることを特徴とする請求項２記載の表示駆動装置。
【請求項４】
前記設定制御手段は、前記複数の動作モード設定手段のうちの少なくとも一部の特定の動作モード設定手段に対して、前記表示パネルにおける前記画像情報の表示動作に先立って該特定の動作モード設定手段の前記設定値を設定する初期設定動作を実行する手段を有することを特徴とする請求項１記載の表示駆動装置。
【請求項５】
前記設定制御手段は、更に、前記表示パネルにおける前記画像情報の表示動作に伴う所定のタイミングで、前記特定の動作モード設定手段の少なくとも一部の前記動作モード設定手段に対して、前記初期設定動作により設定された前記設定値を再設定する再設定動作を実行する手段を有することを特徴とする請求項４記載の表示駆動装置。
【請求項６】
前記設定値保持手段は、前記特定情報及び前記設定値がアドレス毎に格納された、第１の記憶領域及び第２の記憶領域からなる記憶領域を有し、
前記第１の記憶領域に、前記初期設定動作にのみ用いる前記特定情報及び前記設定値が格納され、
前記第２の記憶領域に、前記初期設定動作および前記再設定動作に用いる前記特定情報及び前記設定値が格納されていることを特徴とする請求項５記載の表示駆動装置。
【請求項７】
前記第１の記憶領域は、前記記憶領域における前記アドレスの前半部分であり、前記第２の記憶領域は、前記アドレスの後半部分であることを特徴とする請求項６記載の表示駆動装置。
【請求項８】
前記設定値保持手段は、前記表示パネルにおける異なる表示動作を規定するための前記特定情報及び前記設定値がアドレス毎に格納された、複数の分割領域からなる記憶領域を有し、
前記設定制御手段は、前記複数の分割領域のいずれかの前記アドレスを指定して、該分割領域に格納された前記特定情報及び前記設定値を読み出して、前記複数の動作モード設定手段に対して、個別の前記表示動作を規定する前記設定値を設定することを特徴とする請求項１記載の表示駆動装置。
【請求項９】
前記各分割領域の最終アドレスにおける前記特定情報または前記設定値の少なくともいずれかに、該分割領域における前記読出し動作を停止させる特定の値が格納されていることを特徴とする請求項８記載の表示駆動装置。
【請求項１０】
前記表示駆動装置は、少なくとも、前記表示駆動装置を構成する前記走査駆動手段と、前記信号駆動手段と、前記駆動制御手段と、前記動作モード設定手段と、が前記表示パネルとともにモジュール化された、少なくとも一つのモジュールを有し、前記設定値保持手段が該モジュールの内部に設けられた構成を備えることを特徴とする請求項１乃至９のいずれかに記載の表示駆動装置。
【請求項１１】
前記表示駆動装置は、少なくとも、前記表示駆動装置を構成する前記走査駆動手段と、前記信号駆動手段と、前記駆動制御手段と、前記動作モード設定手段と、が、前記表示パネルとともにモジュール化された、少なくとも一つのモジュールを有し、前記設定値保持手段が該モジュールの外部に設けられた構成を備えることを特徴とする請求項１乃至９のいずれかに記載の表示駆動装置。
【請求項１２】
前記表示駆動装置は、前記モジュールを複数個備え、該複数のモジュールに対して唯一の前記設定値保持手段が共通に接続された構成を有し、
前記設定値保持手段から読み出された前記特定情報及び前記設定値が、前記複数のモジュールに対して同時に並行して供給され、前記複数のモジュールの各々に設けられた前記複数の動作モード設定手段に、同一の設定値が設定されることを特徴とする請求項１１記載の表示駆動装置。
【請求項１３】
前記表示駆動装置は、前記モジュールを複数個備え、該複数のモジュールに対して唯一の前記設定値保持手段が共通に接続された構成と、該複数のモジュールの各々に設けられた前記複数の動作モード設定手段に対し、前記設定値保持手段における前記設定値を個別に有効又は無効に設定する設定値制御手段と、を有し、
前記設定値保持手段から読み出された前記特定情報及び前記設定値が、前記複数のモジュールに対して同時に並行して供給され、前記複数のモジュールの各々に設けられた前記動作モード設定手段のうち、前記設定値制御手段により有効に設定された前記動作モード設定手段に対してのみ、前記設定値が設定されることを特徴とする請求項１１記載の表示駆動装置。
【請求項１４】
複数の表示画素が２次元配列された表示パネルに対して、走査信号を印加して前記表示画素を選択状態に設定し、該選択状態に設定された前記表示画素に、表示データに基づく表示信号電圧を印加することにより、前記表示パネルに所望の画像情報を表示する制御を実行する表示駆動装置の駆動制御方法において、
少なくとも、
前記表示パネルにおける表示動作を規定する複数の動作モード設定手段の各々を特定するための特定情報、及び、該特定された前記動作モード設定手段に前記表示動作を規定するための設定値が相互に対応付けて複数格納された設定値保持手段から、指定アドレス順に前記特定情報及び前記設定値を順次読出すステップと、
前記特定情報及び前記設定値に基づいて、前記複数の動作モード設定手段のうちの少なくとも一部の特定の前記動作モード設定手段に対して、前記設定値を設定するステップと、
前記設定値保持手段から、前記特定情報及び前記設定値の少なくともいずれかの最終値となる特定の値を読出したとき、前記読出し動作を停止させるステップと、
を含むことを特徴とする表示駆動装置の駆動制御方法。
【請求項１５】
前記記憶領域に格納された前記特定情報及び前記設定値を読み出すステップは、前記表示パネルにおける前記画像情報の表示動作に先立って、前記設定値保持手段の特定の記憶領域のアドレスを指定して実行され、
前記設定値を設定するステップは、前記特定の前記動作モード設定手段に対して、前記設定値を初期値として設定する初期設定動作であることを特徴とする請求項１４記載の表示駆動装置の駆動制御方法。
【請求項１６】
前記記憶領域に格納された前記特定情報及び前記設定値を読み出すステップは、少なくとも前記画像情報の表示動作に伴って、前記設定値保持手段の特定の記憶領域のアドレスを指定して実行され、
前記設定値を設定するステップは、前記複数の動作モード設定手段に設定された前記設定値を再設定する再設定動作であることを特徴とする請求項１４又は１５記載の表示駆動装置の駆動制御方法。
【請求項１７】
前記設定値を設定するステップは、唯一の前記設定値保持手段から読み出された前記特定情報及び前記設定値が、複数の前記表示駆動装置に対して同時に並行して供給され、前記複数の表示駆動装置の各々に設けられた前記動作モード設定手段に、同一の設定値が設定されることを特徴とする請求項１４乃至１６のいずれかに記載の表示駆動装置の駆動制御方法。
【請求項１８】
前記設定値を設定するステップは、唯一の前記設定値保持手段から読み出された前記特定情報及び前記設定値が、複数の前記表示駆動装置に対して同時に並行して供給され、前記複数の表示駆動装置の各々に設けられた前記動作モード設定手段のうち、前記設定値の設定が有効に制御された前記動作モード設定手段に対してのみ、前記設定値が設定されることを特徴とする請求項１４乃至１６のいずれかに記載の表示駆動装置の駆動制御方法。
【発明の詳細な説明】
【技術分野】
【０００１】
本発明は、表示駆動装置及びその駆動制御方法に関し、特に、表示パネルにおける多様な表示機能（動作モード）等が要求される表示装置に適用して良好な表示駆動装置及びその駆動制御方法に関する。
【背景技術】
【０００２】
近年、普及が著しいデジタルビデオカメラやデジタルスチルカメラ等の撮像機器や、携帯電話や携帯情報端末（ＰＤＡ）等の携帯機器において、画像や文字情報等を表示するための表示装置（ディスプレイ）として、また、コンピュータ等の情報端末やテレビジョン等の映像機器のモニタやディスプレイとしても、薄型軽量で、低消費電力化が可能であり、表示画質にも優れた液晶表示装置（Liquid Crystal Display；ＬＣＤ）が多用されている。
【０００３】
以下、従来技術における液晶表示装置について、簡単に説明する。
図８は、従来技術における薄膜トランジスタ（ＴＦＴ）型の表示パネルを備えた液晶表示装置の概略構成を示すブロック図であり、図９は、従来技術における液晶表示装置の表示駆動制御の一例を示すタイミングチャートである。
【０００４】
図８に示すように、従来技術における液晶表示装置１００Ｐは、概略、表示画素Ｐｘが、２次元配列（例えば、ｎ行×ｍ列に配列）された液晶表示パネル１１０Ｐと、該液晶表示パネル１１０Ｐの各行の表示画素Ｐｘ群を順次走査して選択状態に設定するゲートドライバ（走査ドライバ）１２０Ｐと、選択状態に設定された行の表示画素Ｐｘ群に、映像信号に基づく表示信号電圧を一括して出力するソースドライバ（データドライバ）１３０Ｐと、ゲートドライバ１２０Ｐ及びソースドライバ１３０Ｐにおける動作タイミングを制御するための制御信号（水平制御信号、垂直制御信号等）を生成して出力するＬＣＤコントローラ１４０Ｐと、映像信号から各種タイミング信号（水平同期信号、垂直同期信号、コンポジット同期信号等）を抽出してＬＣＤコントローラ１４０Ｐに出力するとともに、輝度信号からなる表示データを生成してソースドライバ１３０Ｐに出力する表示信号生成回路１５０Ｐと、ＬＣＤコントローラ１４０Ｐにより生成される極性反転信号ＦＲＰに基づいて、液晶表示パネル１１０Ｐの各表示画素Ｐｘに共通に設けられた共通電極（対向電極）に対して、所定の電圧極性を有するコモン信号電圧Ｖcomを印加するコモン信号駆動アンプ（駆動アンプ）１６０Ｐと、を有して構成されている。
【０００５】
ここで、液晶表示パネル１１０Ｐは、対向する透明基板間に、例えば、図８に示すように、行列方向に互いに直交するように配設された複数の走査ラインＳＬ及び複数のデータラインＤＬと、該走査ラインＳＬ及びデータラインＤＬの各交点近傍に配置された複数の表示画素（液晶表示画素）Ｐｘと、を備えて構成されている。また、各表示画素Ｐｘは、画素電極とデータラインＤＬ間にソース−ドレイン（電流路）が接続され、走査ラインＳＬにゲート（制御端子）が接続された薄膜トランジスタからなる画素トランジスタＴＦＴと、上記画素電極に対向するとともに、全表示画素Ｐｘに共通に設けられた上記共通電極との間に充填、保持された液晶分子からなる画素容量（液晶容量）Ｃlcと、画素容量Ｃlcに並列に構成され、該画素容量Ｃlcに印加された信号電圧を保持するための補助容量（蓄積容量）Ｃcsと、を備えた構成を有している。
【０００６】
このような構成を有する液晶表示装置１００Ｐにおける画像表示動作の概略は、まず、表示信号生成回路１５０Ｐにより、液晶表示装置１００Ｐの外部から供給される映像信号から抽出された各種タイミング信号がＬＣＤコントローラ１４０に供給されるとともに、液晶表示パネル１１０Ｐの１行分の表示画素Ｐｘに対応した表示データが、ソースドライバ１３０Ｐに供給される。これにより、ソースドライバ１３０Ｐは、ＬＣＤコントローラ１４０Ｐから供給される水平制御信号に基づいて、上記表示データを順次取り込み保持する。
【０００７】
次いで、図９に示すように、ゲートドライバ１２０Ｐにより、１水平期間（１Ｈ）に、ＬＣＤコントローラ１４０Ｐから供給される垂直制御信号（ゲートスタート信号ＧＳＲＴ、ゲートクロック信号ＧＰＣＫ、ゲート出力イネーブル信号ＧＯＥ等）に基づいて、液晶表示パネル１１０Ｐに配設された各走査ラインＳＬに走査信号Ｇ１、Ｇ２、・・・が順次印加され、各行の表示画素Ｐｘ群が選択状態に設定される。
【０００８】
このとき、ソースドライバ１３０Ｐにより、ＬＣＤコントローラ１４０Ｐから供給される水平制御信号（データラインクリア信号ＣＬＲ、データ出力イネーブル信号ＯＥ等）に基づいて、各行の表示画素Ｐｘ群の選択タイミングに同期して、上記保持した表示データに基づく表示信号電圧を、各データラインＤＬを介して各表示画素Ｐｘに一斉に供給する。
このような一連の動作を、１画面分（１垂直期間＝表示期間）の各行に対して、極性反転信号ＦＲＰに基づいて表示信号電圧及びコモン信号電圧Ｖcomを相互に反転極性となるように設定しつつ、繰り返し実行することにより、映像信号に基づく所望の画像情報が液晶表示パネル１１０Ｐに表示される。
【０００９】
ところで、近年、画像情報の表示領域の切り換えや動画表示等の画像表示制御や、電源管理制御等により、液晶表示装置に要求される制御動作の多機能化が顕著になっている。ここで、多様な動作機能を実現するためには、液晶表示装置に対してより多くの制御信号（入出力信号）を供給する必要があるが、これにより、図８に示したような液晶表示装置１００Ｐの各構成をモジュール化したＬＣＤモジュールＭＤＰに設けられる入出力端子の数が増加する問題が発生する。そこで、このような端子数の増加を回避する手法として、ＬＣＤモジュールＭＤＰの内部に、多数の機能設定用のレジスタを備えた構成が適用されるようになっている。
【００１０】
ここで、ＬＣＤモジュールＭＤＰ内に設けられた各種のレジスタのうち、液晶表示パネル１１０Ｐへの表示動作に関して初期値となるレジスタ値を必要とするレジスタや一旦設定した初期値の変更が必要なレジスタについては、ＬＣＤモジュールＭＤＰの内部あるいは外部に設けられたマイクロプロセッサ（ＭＰＵ）や中央演算装置（ＣＰＵ）等により、個別に設定動作を行う手法が適用されている。例えば、特許文献１等には、ＬＣＤモジュールの内部に、画像情報の表示領域を制御する複数のレジスタが設けられ、マイクロプロセッサ（ＭＰＵ）により一部のレジスタの設定値を変更するようにして、表示パネルに設定される表示領域を変更することにより、該ＬＣＤモジュールを搭載した電子機器の消費電力を削減する構成が記載されている。
【００１１】
【特許文献１】特開平１１−３１１９８０号公報  （第６頁、図１）
【発明の開示】
【発明が解決しようとする課題】
【００１２】
しかしながら、上述したような液晶表示装置において、内部に設けられた多数のレジスタに設定されるレジスタ値として、当該液晶表示装置の設計段階において設定された数値をそのまま適用した場合、液晶表示装置（ＬＣＤモジュール）を搭載する電子機器の仕様や使用環境等に適切に対応せず、安定した動作状態を得ることができない場合がある。そのため、液晶表示装置（ＬＣＤモジュール）の完成（量産）後に、多数のレジスタに適切なレジスト値を設定する作業（初期値の設定のみならず、レジスト値の調整による再設定作業を含む）が必要になる場合がある、という問題を有していた。
この場合、ＬＣＤモジュールのユーザ（例えば、当該ＬＣＤモジュールを搭載する電子機器の設計担当者等）は、多数のレジスタの設定手法を含むＬＣＤモジュールの仕様について高度の知識を必要とするばかりではなく、ＬＣＤモジュールの適切な動作状態を得るために、場合によっては、レジスタの初期値の調整作業を繰り返す試行錯誤を行わなければならず、多大な作業時間や手間を必要とするという問題を有していた。
【００１３】
また、このような液晶表示装置においては、画像表示動作に先立って、マイクロプロセッサにより多数のレジスタに対して初期値を設定する動作を実行しなければならないため、マイクロプロセッサの処理負担が増大するとともに、初期値の設定動作のためにある程度の時間を要し、本来の画像表示動作に支障を生じるという問題を有していた。
そこで、本発明は、上述した課題に鑑み、表示動作等の制御動作を多機能化するために、多数のレジスタを内蔵する表示装置において、当該レジスタへの初期値（レジスタ値）の設定や変更を簡易かつ短時間で行うことができるとともに、マイクロプロセッサ等の処理負担を軽減することができる表示駆動装置及びその駆動制御方法を提供することを目的とする。
【課題を解決するための手段】
【００１４】
請求項１記載の発明は、複数の表示画素が２次元配列された表示パネルに対して、走査信号を印加して前記表示画素を選択状態に設定する走査駆動手段と、前記選択状態に設定された前記表示画素に、表示データに基づく表示信号電圧を印加する信号駆動手段と、少なくとも前記走査駆動手段及び前記信号駆動手段の動作状態を制御することにより、前記表示パネルにおける画像情報の表示動作を制御する駆動制御手段と、を備えた表示駆動装置において、少なくとも、前記駆動制御手段に所定の動作モード制御信号を供給して、前記表示パネルの表示動作状態を規定する複数の動作モード設定手段と、前記複数の動作モード設定手段の各々を特定するための特定情報、及び、該特定された前記動作モード設定手段に前記表示動作を規定するための設定値が、相互に対応付けて複数格納された設定値保持手段と、を有することを特徴とする。
【００１５】
請求項２記載の発明は、請求項１記載の表示駆動装置において、前記設定値保持手段は、前記特定情報及び前記設定値がアドレス毎に格納された記憶領域を有し、前記表示駆動装置は、少なくとも、前記記憶領域に格納された前記特定情報及び前記設定値を、前記記憶領域のアドレス順に順次読出し、該特定情報及び該設定値に基づいて、前記複数の動作モード設定手段の各々に対して、前記設定値を設定するための所定の制御動作を実行する設定制御手段を有することを特徴とする。
【００１６】
請求項３記載の発明は、請求項２記載の表示駆動装置において、前記記憶領域の最終アドレスにおける前記特定情報または前記設定値の少なくともいずれかに、該記憶領域の前記読出し動作を停止させる特定の値が格納されていることを特徴とする。
請求項４記載の発明は、請求項１記載の表示駆動装置において、前記設定制御手段は、前記複数の動作モード設定手段のうちの少なくとも一部の特定の動作モード設定手段に対して、前記表示パネルにおける前記画像情報の表示動作に先立って該特定の動作モード設定手段の前記設定値を設定する初期設定動作を実行する手段を有することを特徴とする。
【００１７】
請求項５記載の発明は、請求項４記載の表示駆動装置において、前記設定制御手段は、更に、前記表示パネルにおける前記画像情報の表示動作に伴う所定のタイミングで、前記特定の動作モード設定手段の少なくとも一部の前記動作モード設定手段に対して、前記初期設定動作により設定された前記設定値を再設定する再設定動作を実行する手段を有することを特徴とする。
【００１８】
請求項６記載の発明は、請求項５記載の表示駆動装置において、前記設定値保持手段は、前記特定情報及び前記設定値がアドレス毎に格納された、第１の記憶領域及び第２の記憶領域からなる記憶領域を有し、前記第１の記憶領域に、前記初期設定動作にのみ用いる前記特定情報及び前記設定値が格納され、前記第２の記憶領域に、前記初期設定動作および前記再設定動作に用いる前記特定情報及び前記設定値が格納されていることを特徴とする。
請求項７記載の発明は、請求項６記載の表示駆動装置において、前記第１の記憶領域は、前記記憶領域における前記アドレスの前半領域であり、前記第２の記憶領域は、前記アドレスの後半領域であることを特徴とする。
【００１９】
請求項８記載の発明は、請求項１記載の表示駆動装置において、前記設定値保持手段は、前記表示パネルにおける異なる表示動作を規定するための前記特定情報及び前記設定値がアドレス毎に格納された複数の分割領域からなる記憶領域を有し、前記設定制御手段は、前記複数の分割領域のいずれかの前記アドレスを指定して、該分割領域に格納された前記特定情報及び前記設定値を読み出して、前記複数の動作モード設定手段に対して、個別の前記表示動作を規定する前記設定値を設定することを特徴とする。
【００２０】
請求項９記載の発明は、請求項８記載の表示駆動装置において、前記各分割領域の最終アドレスにおける前記特定情報または前記設定値の少なくともいずれかに、該分割領域における前記読出し動作を停止させる特定の値が格納されていることを特徴とする。
請求項１０記載の発明は、請求項１乃至９のいずれかに記載の表示駆動装置において、前記表示駆動装置は、少なくとも、前記表示駆動装置を構成する前記走査駆動手段と、前記信号駆動手段と、前記駆動制御手段と、前記動作モード設定手段と、が前記表示パネルとともにモジュール化された、少なくとも一つのモジュールを有し、前記設定値保持手段が該モジュールの内部に設けられた構成を備えることを特徴とする。
【００２１】
請求項１１記載の発明は、請求項１乃至９のいずれかに記載の表示駆動装置において、前記表示駆動装置は、少なくとも、前記表示駆動装置を構成する前記走査駆動手段と、前記信号駆動手段と、前記駆動制御手段と、前記動作モード設定手段が、前記表示パネルとともにモジュール化された、少なくとも一つのモジュールを有し、前記設定値保持手段が該モジュールの外部に設けられた構成を備えることを特徴とする。
【００２２】
請求項１２記載の発明は、請求項１１記載の表示駆動装置において、前記表示駆動装置は、前記モジュールを複数個備え、該複数のモジュールに対して唯一の前記設定値保持手段が共通に接続された構成を有し、前記設定値保持手段から読み出された前記特定情報及び前記設定値が、前記複数のモジュールに対して同時に並行して供給され、前記複数のモジュールの各々に設けられた前記動作モード設定手段に、同一の設定値が設定されることを特徴とする。
【００２３】
請求項１３記載の発明は、請求項１１記載の表示駆動装置において、前記表示駆動装置は、前記モジュールを複数個備え、該複数のモジュールに対して唯一の前記設定値保持手段が共通に接続された構成と、該複数のモジュールの各々に設けられた前記複数の動作モード設定手段に対し、前記設定値保持手段における前記設定値を個別に有効又は無効に設定する設定値制御手段と、を有し、前記設定値保持手段から読み出された前記特定情報及び前記設定値が、前記複数のモジュールに対して同時に並行して供給され、前記複数のモジュールの各々に設けられた前記動作モード設定手段のうち、前記設定値制御手段により有効に設定された前記動作モード設定手段に対してのみ、前記設定値が設定されることを特徴とする。
【００２４】
請求項１４記載の発明は、複数の表示画素が２次元配列された表示パネルに対して、走査信号を印加して前記表示画素を選択状態に設定し、該選択状態に設定された前記表示画素に、表示データに基づく表示信号電圧を印加することにより、前記表示パネルに所望の画像情報を表示する制御を実行する表示駆動装置の駆動制御方法において、少なくとも、前記表示パネルにおける表示動作を規定する複数の動作モード設定手段の各々を特定するための特定情報、及び、該特定された前記動作モード設定手段に前記表示動作を規定するための設定値が相互に対応付けて複数格納された設定値保持手段から、指定アドレス順に前記特定情報及び前記設定値を順次読出すステップと、前記特定情報及び前記設定値に基づいて、前記複数の動作モード設定手段のうちの少なくとも一部の特定の前記動作モード設定手段に対して、前記設定値を設定するステップと、前記設定値保持手段から、前記特定情報及び前記設定値の少なくともいずれかの最終値となる特定の値を読出したとき、前記読出し動作を停止させるステップと、を含むことを特徴とする。
【００２５】
請求項１５記載の発明は、請求項１４記載の表示駆動装置の駆動制御方法において、前記記憶領域に格納された前記特定情報及び前記設定値を読み出すステップは、前記表示パネルにおける前記画像情報の表示動作に先立って、前記設定値保持手段の特定の記憶領域のアドレスを指定して実行され、前記設定値を設定するステップは、前記特定の前記動作モード設定手段に対して、前記設定値を初期値として設定する初期設定動作であることを特徴とする。
【００２６】
請求項１６記載の発明は、請求項１４又は１５記載の表示駆動装置の駆動制御方法において、前記記憶領域に格納された前記特定情報及び前記設定値を読み出すステップは、少なくとも前記画像情報の表示動作に伴って、前記設定値保持手段の特定の記憶領域のアドレスを指定して実行され、前記設定値を設定するステップは、前記複数の動作モード設定手段に設定された前記設定値を再設定する再設定動作であることを特徴とする。
【００２７】
請求項１７記載の発明は、請求項１４乃至１６のいずれかに記載の表示駆動装置の駆動制御方法において、前記設定値を設定するステップは、唯一の前記設定値保持手段から読み出された前記特定情報及び前記設定値が、複数の前記表示駆動装置に対して同時に並行して供給され、前記複数の表示駆動装置の各々に設けられた前記動作モード設定手段に、同一の設定値が設定されることを特徴とする。
【００２８】
請求項１８記載の発明は、請求項１４乃至１６のいずれかに記載の表示駆動装置の駆動制御方法において、前記設定値を設定するステップは、唯一の前記設定値保持手段から読み出された前記特定情報及び前記設定値が、複数の前記表示駆動装置に対して同時に並行して供給され、前記複数の表示駆動装置の各々に設けられた前記動作モード設定手段のうち、前記設定値の設定が有効に制御された前記動作モード設定手段に対してのみ、前記設定値が設定されることを特徴とする。
【発明の効果】
【００２９】
本発明に係る表示駆動装置及びその駆動制御方法は、液晶表示パネルのように、複数の表示画素が２次元配列されてなる表示パネルに対して、走査信号を印加して各表示画素を選択状態に設定し、該選択状態に設定された表示画素に、表示データに基づく表示信号電圧を印加することにより、表示パネルに所望の画像情報を表示する制御を実行する表示駆動装置において、表示パネルにおける画像情報の表示動作（動作モード）の最適化や多様化を実現するために、上記表示動作を規定する設定値（レジスタ値）を制御する動作モード設定手段（レジスタ）を複数備えた構成であって、設定値保持手段（外部記憶部）の記憶領域に予め対応付けて格納された、動作モード設定手段を特定するための特定情報（レジスタインデックス）、及び、表示動作を規定するための設定値を、指定アドレス順に読み出して、各動作モード設定手段に前記設定値を設定するための制御動作（シーケンス制御）を実行するように構成されている。
【００３０】
ここで、表示駆動装置に設けられた複数の動作モード設定手段の各々に設定される設定値は、表示パネルにおける画像情報の表示動作に先立って、設定値を必要とする動作モード設定手段に設定する初期設定値であっても良いし、例えば、前記初期設定値が設定された後、画像情報の表示動作の進行に伴って、設定値の書き換え、あるいは、再設定（リフレッシュ）を必要とする動作モード設定手段に再度設定する再設定値であっても良い。
【００３１】
このような設定値は、例えば、設定値保持手段の記憶領域を分割した第１の記憶領域（前半部分）及び第２の記憶領域（後半部分）に、あるいは、複数の分割領域に分割した各分割領域に、上記初期設定や再設定、省電力設定等の任意の設定動作に係る動作モード設定手段の特定情報及び所定の設定値が対応付けて格納される。そして、設定制御手段（入出力設定部）により各領域の先頭アドレスを指定することにより、当該領域に格納された一連の特定情報及び設定値（シーケンスデータ）を読み出して、複数の動作モード設定手段に所定の設定値を連続的に設定する動作を実行する。また、各記憶領域の最終アドレスに、特定情報又は設定値の少なくともいずれかの最終値となる特定の値が格納され、該特定の値を読出したとき、読み出し動作を停止させるように制御される。
【００３２】
したがって、設定値保持手段に予め各動作モード設定手段に最適な設定値（初期値）を格納しておくことにより、表示駆動装置内に設けられた複数の動作モード設定手段に順次最適な設定値を自動的に設定することができるので、本発明に係る表示駆動装置が適用された表示装置（ＬＣＤモジュール）のユーザは、多数の動作モード設定手段（レジスタ）の設定手法等について高度の知識を必要とすることなく、また、多大な作業時間や手間を必要とすることなく、表示パネルを所望の表示状態（動作モード）で駆動することができる。
【００３３】
また、この場合、設定値保持手段に予め格納された動作モード設定手段の特定情報及び設定値（シーケンスデータ）に基づく制御動作（シーケンス制御）により、マイクロプロセッサ等における表示動作制御とは独立して、各動作モード設定手段への設定値の設定動作が実行されるので、マイクロプロセッサにおける処理負担を軽減して、良好な画像表示動作を行うことができる。
【００３４】
また、本発明においては、少なくとも、上記表示パネルと表示駆動装置がモジュール化された構成において、複数個のモジュールに対して唯一の設定値保持手段（外部記憶部）が共通に接続された構成を有し、設定値保持手段から読み出された特定情報及び設定値が、該複数のモジュールに対して同時に並行して供給され、各モジュールの動作モード設定手段に、同一の設定値が設定されるように構成したものであっても良いし、各モジュールに設けられた複数の動作モード設定手段のうち、上記設定値に対して有効に制御された動作モード設定手段に対してのみ、設定値が設定されるように構成したものであっても良い。
【００３５】
これにより、前者の構成によれば、複数のモジュール（表示パネル）に対して、唯一の設定値保持手段を備えた構成により、同一の制御動作（シーケンス制御）により、各モジュールの動作モード設定手段に同時に同一の設定値を設定することができるので、当該設定動作に要する処理時間を大幅に短縮することができるとともに、液晶表示装置の画像表示動作を制御するマイクロプロセッサの処理負担を大幅に軽減することができる。
【００３６】
また、後者の構成によれば、唯一の設定値保持手段から読み出された特定情報及び設定値（シーケンスデータ）に基づいて、複数のモジュールに対して共通して実行される制御動作（シーケンス制御）において、有効状態に設定された動作モード設定手段にのみ、設定値が設定されることになるので、各モジュールの特定の動作モード設定手段に個別のレジスタ値を設定する動作を比較的短い時間で実行することができるとともに、各モジュールの表示パネルを異なる表示状態（動作モード）で駆動させることができる。
さらに、これらの構成によれば、複数のモジュールに対して共通に設けられた唯一の設定値保持手段に格納された特定情報及び設定値を用いて、各モジュール内に設けられた動作モード設定手段に所定の設定値を略同時に設定することができるので、モジュール（液晶表示装置）を構成する部品点数を削減して製品コストの削減を図ることができる。
【発明を実施するための最良の形態】
【００３７】
以下、本発明に係る表示駆動装置及びその駆動制御方法について、図面を参照しながら説明する。
＜第１の実施形態＞
（液晶表示装置）
図１は、本発明に係る表示駆動装置を適用した液晶表示装置の第１の実施形態を示す概略ブロック図であり、図２は、本実施形態に係る液晶表示装置と外部記憶部との接続関係、及び、外部記憶部に格納されたシーケンスデータのデータ構造の一例を示す概念図である。ここで、上述した従来技術（図８）と同等の構成については、同等又は同一の符号を付して説明を簡略化又は省略する。
【００３８】
図１に示すように、本実施形態に係る液晶表示装置１００は、概略、上述した従来技術に示した構成（図８参照）と同様に、複数の走査ラインＳＬ及び複数のデータラインＤＬの交点近傍に複数の表示画素Ｐｘが２次元配列された液晶表示パネル（表示パネル）１１０と、各走査ラインＳＬに所定のタイミングで走査信号を順次印加するゲートドライバ（走査信号手段）１２０と、各データラインＤＬに表示データに基づく表示信号電圧を印加するためのソースドライバ（信号駆動手段）１３０と、少なくとも、ゲートドライバ１２０及びソースドライバ１３０の動作状態を制御するための制御信号（垂直制御信号、水平制御信号）を生成して出力するＬＣＤコントローラ１４０と、液晶表示装置１００の各構成をモジュール化したＬＣＤモジュールＭＤＬの外部から、後述する入出力制御部１７０を介して入力される映像信号に基づいて、ソースドライバ１３０に供給する表示データを生成するとともに、ＬＣＤコントローラ１４０に供給するタイミング信号を生成する表示信号生成回路１５０と、全表示画素Ｐｘに共通に設けられた共通電極に対して、所定の電圧極性を有するコモン信号電圧Ｖcomを印加するコモン電圧駆動アンプ（駆動アンプ）１６０と、を備え、さらに、本実施形態においては、上記映像信号の入力制御、及び、ＬＣＤモジュールＭＤＬの外部に設けられたマイクロプロセッサＭＰＵ及び外部記憶部（設定値保持手段）ＲＯＭとの制御信号やレジスタ値等の入出力を制御する入出力制御部１７０と、外部記憶部ＲＯＭから読み出され、入出力制御部１７０を介して入力されたシーケンスデータ（レジスタ値）に基づいて、ＬＣＤコントローラ１４０に種々の動作モードを設定するためのモード信号を生成して出力する複数のレジスタ（動作モード設定手段）を備えるモードレジスタ１８０と、を備えた構成を有している。
【００３９】
ここで、本実施形態に適用されるＬＣＤコントローラ１４０は、入出力制御部１７０を介して供給される映像信号に基づいて、表示信号生成回路１５０により生成されて供給される各種タイミング信号、並びに、外部記憶部ＲＯＭから読み出され、入出力制御部１７０を介して供給されるシーケンスデータに基づいて、ＬＣＤモジュールＭＤＬ内に設けられたレジスタ１８０により規定された動作モードを示すモード信号に基づいて、垂直制御信号及び水平制御信号を生成して、各々、ゲートドライバ１２０及びソースドライバ１３０に供給することにより、液晶表示パネルを所定の動作モードで表示駆動させるように制御する。
【００４０】
また、本実施形態において、ＬＣＤモジュールＭＤＬの外部に設けられる外部記憶部ＲＯＭは、例えば、シリアル制御型のＥＥＰＲＯＭ等を良好に適用することができ、図２（ａ）に示すように、ＬＣＤモジュールＭＤＬに設けられた入出力制御部１７０から出力されるメモリアクセス用の制御信号ＥＣＳ、ＳＫ、ＤＩに基づいて、外部記憶部ＲＯＭの所定のアドレスに記憶されたシーケンスデータが読出しデータＤＯとして抽出されて、ＬＣＤモジュールＭＤＬ（入出力制御部１７０）に出力されるように、所定の信号配線により接続された構成を有している。
【００４１】
ここで、ＬＣＤモジュールＭＤＬ（入出力制御部１７０）から出力され、外部記憶部ＲＯＭに入力される制御信号ＥＣＳは、外部記憶部ＲＯＭにおけるアドレス指定制御やシーケンスデータの読出し動作を可能とする動作イネーブル信号であり、制御信号ＳＫは、外部記憶部ＲＯＭにおける動作速度を規定する動作クロックであり、制御信号ＤＩは、特定のレジスタに対して所定のレジスタ値を設定するシーケンス制御を行うために、外部記憶部ＲＯＭに格納されたシーケンスデータ（各レジスタのレジスタインデックス及びレジスタ値）にアクセスするためのアドレス指定データである。
【００４２】
また、外部記憶部ＲＯＭに格納（記憶）されるシーケンスデータのデータ構造は、例えば、図２（ｂ）に示すように、記憶領域の先頭アドレスから順に、レジスタを特定するレジスタインデックスＩＸと、当該レジスタに設定するレジスタ値（初期値）ＲＥＧが対応付けて格納されている。すなわち、先頭アドレス（A[6:0]=0000h）には、レジスタインデックスＩＸ＝ａに対応付けてレジスタ値ＲＥＧ＝ＲＥＧａが格納され、次アドレス（A[6:0]=0001h）にはＩＸ＝ｂ及びＲＥＧ＝ＲＥＧｂが、アドレス（A[6:0]=0002h）にはＩＸ＝ｃ及びＲＥＧ＝ＲＥＧｃが（以下、同様）、対応付けて格納されている。また、このようなレジスタに所定のレジスタ値を設定するためのシーケンスデータの最後となるアドレス（A[6:0]=k）には、当該シーケンス制御の終了を示すレジスタインデックスＩＸ＝ｅｄ、又は、レジスタ値ＲＥＧ＝ＲＥＧｅｄとして、例えば、全ビットを１とするような特定の値が格納される。このようなシーケンスデータは、例えば、ＬＣＤモジュール（すなわち、液晶表示装置１００）の出荷時に、各レジスタにおいて最適となるレジスタ値ＲＥＧ（最適値）が、外部記憶部ＲＯＭに書き込まれる。
【００４３】
（液晶表示装置の駆動制御方法）
次いで、本実施形態に係る液晶表示装置の画像表示動作（駆動制御方法）について、図面を参照して説明する。
図３は、本実施形態に係る液晶表示装置に適用されるレジスタの初期設定動作に係るシーケンス制御の一例を示すタイミングチャートである。
本実施形態に係る液晶表示装置においては、まず、液晶表示装置への電源投入後、ＬＣＤモジュールに設けられた複数のレジスタの少なくとも一部の特定のレジスタに対する初期設定動作が（画像表示動作に先立って）実行され、その後、上述した従来技術（図９参照）に示したような画像表示動作が実行される。
【００４４】
上述したような構成を有する液晶表示装置におけるレジスタの初期設定動作は、まず、図３に示すように、ＬＣＤモジュールＭＤＬに設けられた入出力制御部１７０から、信号配線を介して外部記憶部ＲＯＭに対して、動作イネーブル信号ＥＣＳを供給することにより、外部記憶部ＲＯＭに対するアクセスが可能な状態となり、次いで、所定の動作サイクルで、アドレス指定データＤＩを供給することにより、図２に示したような外部記憶部ＲＯＭの当該アドレスに格納されたレジスタインデックスＩＸ及びレジスタ値ＲＥＧからなるシーケンスデータが、先頭アドレスから順次読み出されて、信号配線を介して読出しデータＤＯとしてＬＣＤモジュールＭＤＬ（入出力制御部１７０）に供給される。これにより、外部記憶部ＲＯＭに格納されたシーケンスデータ（各レジスタ値）に基づいて、ＬＣＤモジュールＭＤＬに内蔵された各レジスタ１８０に所定のレジスタ値を順次設定するシーケンス制御が実行される。また、上記シーケンスデータの読み出し動作は、レジスタインデックス値又はレジスタ値として上記特定の値（レジスタインデックスＩＸ＝ｅｄ、又は、レジスタ値ＲＥＧ＝ＲＥＧｅｄ）が読み出されたとき、読み出し動作が停止される。
【００４５】
ここで、上述したようなシーケンス制御によりレジスタ値が設定されるレジスタは、モードレジスタ１８０における複数のレジスタのうち、液晶表示パネル１１０への画像表示動作に先立って初期値の設定が必要な特定のレジスタであって、それ以外の、例えば、画像表示動作の進行に伴ってレジスタ値が設定されるレジスタについては、ＬＣＤモジュールＭＤＬの外部に設けられたマイクロプロセッサＭＰＵ等により随時設定される。
【００４６】
なお、本実施形態においては、上述したようなレジスタ値を設定するシーケンス制御の開始タイミング（すなわち、外部記憶部ＲＯＭからのレジスタインデックスＩＸ及びレジスタ値ＲＥＧの読出し動作の開始タイミング）について、ＬＣＤモジュールＭＤＬからのアドレス指定データＤＩを適用する制御方法（図３参照）を示したが、本発明はこれに限定されるものではなく、例えば、外部記憶部ＲＯＭに設けられた制御端子等に直接、読出し動作の開始タイミングを規定する制御信号等を入力することにより、上記アドレス順にシーケンスデータを順次読み出すようにしたものであってもよい。
【００４７】
（画像表示動作）
次いで、上述したようなＬＣＤモジュールに設けられた各レジスタに初期値となるレジスタ値を設定する動作が終了した後に実行される画像表示動作は、図９のタイミングチャートに示した場合と同様に、垂直制御信号に基づいてゲートドライバ１２０により、１水平期間（１Ｈ）に、各走査ラインＳＬに走査信号が順次印加されて、各行の表示画素Ｐｘ群が選択状態に設定され、この状態で、水平制御信号に基づいてソースドライバ１３０により、表示信号生成回路１５０から供給された表示データに応じた表示信号電圧が、各データラインＤＬを介して各表示画素Ｐｘに一斉に供給される。このような動作を、１画面分の各行に対して繰り返し実行することにより、映像信号に基づく所望の画像情報が液晶表示パネル１１０に表示される。ここで、上述したレジスタの初期設定動作により所定のレジスタ値が設定されることにより、レジスタ１８０からＬＣＤコントローラ１４０に出力されるモード信号に基づいて動作モードが規定され、該動作モードに応じて生成される垂直制御信号及び水平制御信号に基づく動作状態で、例えば、液晶表示パネル１１０に画像情報が表示される。
【００４８】
したがって、本実施形態に係る表示駆動装置及びその駆動制御方法によれば、画像情報の表示駆動動作に先立って、外部記憶部に格納されたシーケンスデータに基づいて、ＬＣＤモジュール内に設けられた各レジスタに最適なレジスタ値（初期値）が自動的に設定されるので、ＬＣＤモジュールのユーザは、多数のレジスタの設定手法等について高度の知識を必要とすることなく、また、多大な作業時間や手間を必要とすることなく、液晶表示装置（ＬＣＤモジュール）を所定の動作モードで適切に動作させることができる。
また、この場合、外部記憶部に予め格納されたシーケンスデータに基づくシーケンス制御により、各レジスタへのレジスタ値の設定動作が実行されるので、液晶表示装置の本来の画像表示動作を制御するマイクロプロセッサにおける処理負担を軽減して、良好な画像表示動作を行うことができる。
【００４９】
＜第２の実施形態＞
次に、本発明に係る表示駆動装置を適用した液晶表示装置の第２の実施形態について、図面を参照しながら説明する。
図４は、第２の実施形態に係る液晶表示装置に適用される外部記憶部に格納されたシーケンスデータのデータ構造の一例を示す概念図である。ここで、上述した第１の実施形態と同等の構成（図１、図２参照）については、同一又は同等の符号を付してその説明を簡略化又は省略する。
【００５０】
本実施形態に係る液晶表示装置は、上述した第１の実施形態に示したＬＣＤモジュールＭＤＬ内に設けられた各レジスタに対して、初期値として設定されたレジスタ値を定期的に再書き込みして、リフレッシュするように構成されている。
具体的には、本実施形態に係る液晶表示装置に適用される外部記憶部においては、図４に示すように、例えば、記憶領域の前半部分（アドレスA[6:0]=0000h〜A[6:0]=j）からなる第１の記憶領域と、記憶領域の後半部分（アドレスA[6:0]=j+1〜A[6:0]=k）からなる第２の記憶領域を有し、第１の記憶領域にレジスタ１８０へのレジスタ値の初期設定動作にのみ用いるシーケンスデータ（レジスタインデックスＩＸ＝ａ〜ｅｄ及びレジスタ値ＲＥＧ＝ＲＥＧａ〜ＲＥＧｅｄ）が格納され、第２の記憶領域に初期設定動作及び再設定（リフレッシュ）動作に共通して必要なシーケンスデータ（レジスタインデックスＩＸ＝ｆ〜ｅｄ、レジスタ値ＲＥＧ＝ＲＥＧｆ〜ＲＥＧｅｄ）が格納されている。
【００５１】
これにより、上述した第１の実施形態と同様に、レジスタ１８０へのレジスタ値の初期設定動作においては、外部記憶部ＲＯＭの前半部分の先頭アドレス（A[6:0]=0000h）を指定して、該前半部分の先頭アドレスから後半部分の最終アドレス（A[6:0]=k）まで、順にシーケンスデータ（レジスタインデックスＩＸ及びレジスタ値ＲＥＧ）を読み出して、入出力制御部１７０を介してＬＣＤモジュールＭＤＬに入力することにより、所定のシーケンス制御に基づいて各レジスタ１８０への初期値（レジスタ値）の設定動作が実行される。
【００５２】
また、レジスタ１８０へのレジスタ値の再設定動作においては、外部記憶部ＲＯＭの記憶領域の後半部分の先頭アドレス（A[6:0]=j+1）を指定して、該後半部分の先頭アドレスから最終アドレス（A[6:0]=k）まで、シーケンスデータ（レジスタインデックスＩＸ及びレジスタ値ＲＥＧ）を順次読み出すことにより、所定のシーケンス制御に基づいて特定のレジスタへのレジスタ値の再設定動作が実行される。
【００５３】
なお、外部記憶部ＲＯＭの記憶領域の前半部分及び後半部分に格納されるシーケンスデータとしては、例えば、前半部分には、液晶表示装置への電源投入後等に一度だけ設定する必要がある初期値（レジスタ値）を設定するためのシーケンスデータが格納されて、電源投入後、液晶表示装置の表示駆動動作に先立って、１回のみ読出し動作が実行される。一方、後半部分には、前記初期値の設定、および、再設定動作の度に繰り返しレジスタ値を設定するためのシーケンスデータが格納されて、液晶表示装置の表示駆動期間中、必要に応じて、繰り返し読出し動作が実行される。
【００５４】
このような構成を有する液晶表示装置によれば、表示駆動動作に先立ってＬＣＤモジュール内に設けられた特定のレジスタに設定されたレジスタ値（初期値）が、静電気やノイズ等の外乱要因により、所望の設定値から書き変わるような現象が生じた場合であっても、周期的にあるいは任意のタイミングで、各レジスタに適正なレジスタ値を再設定（リフレッシュ）することができるので、液晶表示装置（ＬＣＤモジュール）を常時、所望の動作モードで適切に動作させることができ、表示駆動動作における誤動作を回避することができる。
【００５５】
＜第３の実施形態＞
次に、本発明に係る表示駆動装置を適用した液晶表示装置の第３の実施形態について、図面を参照しながら説明する。
図５は、第３の実施形態に係る液晶表示装置に適用される外部記憶部に格納されたシーケンスデータのデータ構造の一例を示す概念図である。ここで、上述した第１又は第２の実施形態と同等の構成については、同一又は同等の符号を付してその説明を簡略化又は省略する。
【００５６】
本実施形態に係る液晶表示装置は、上述した第１の実施形態に示したＬＣＤモジュール内に設けられた各レジスタに対して、複数の異なる動作モードに対応したレジスタ値を設定するようにして、多様な動作モードに切り換えが可能なように構成されている。
具体的には、本実施形態に係る液晶表示装置に適用される外部記憶部においては、図５に示すように、記憶領域を所定の複数の分割領域に分割し（図では、ｉ個に分割）、各分割領域に対して所望の動作モードに対応したシーケンスデータ（レジスタインデックスＩＸ及びレジスタ値ＲＥＧ）が格納されるとともに、各分割領域の最終アドレスに、上記シーケンスデータにより実行される各シーケンス制御の終了を示す特定の値を有するレジスタインデックスＩＸ＝ｅｄ、又は、レジスタ値ＲＥＧ＝ＲＥＧｅｄが格納されている。
【００５７】
すなわち、第１の分割領域であるアドレスA[6:0]=0000h〜A[6:0]=pに、レジスタインデックスＩＸ＝ａ〜ed及びレジスタ値ＲＥＧ＝ＲＥＧａ〜ＲＥＧedが対応付けて格納され、第２の分割領域であるアドレスA[6:0]=p+1〜A[6:0]=qに、レジスタインデックスＩＸ＝ｂ〜ed及びレジスタ値ＲＥＧ＝ＲＥＧｂ〜ＲＥＧedが対応付けて格納され、以下同様にして、最後（ｉ番目）の分割領域であるアドレスA[6:0]=r+1〜A[6:0]=sに、レジスタインデックスＩＸ＝ｆ〜ed及びレジスタ値ＲＥＧ＝ＲＥＧｆ〜ＲＥＧedが対応付けて格納されている。
【００５８】
ここで、第１の分割領域に格納されたレジスタインデックスＩＸ及びレジスタ値ＲＥＧは、各レジスタ１８０に第１のレジスタ値を設定するシーケンス制御（図中、「レジスタ値設定シーケンス１」と表記）を実行するシーケンスデータであり、第２の分割領域に格納されたレジスタインデックスＩＸ及びレジスタ値ＲＥＧは、各レジスタ１８０に第２のレジスタ値を設定するシーケンス制御（図中、「レジスタ値設定シーケンス２」と表記）を実行するシーケンスデータであり、以下同様に、最後の分割領域に格納されたレジスタインデックスＩＸ及びレジスタ値ＲＥＧは、各レジスタ１８０に第ｉのレジスタ値を設定するシーケンス制御（図中、「レジスタ値設定シーケンスｉ」と表記）を実行するシーケンスデータである。
【００５９】
これにより、特定の動作モードで液晶表示装置を動作させる場合には、当該動作モードに対応したシーケンスデータが格納された分割領域の先頭アドレスを指定して、当該シーケンスデータ（レジスタインデックスＩＸ及びレジスタ値ＲＥＧ）を順次読み出して、ＬＣＤモジュールＭＤＬに入力することにより、所定のシーケンス制御に基づいて、各レジスタ１８０に特定の動作モードに対応したレジスタ値が設定される。
【００６０】
ここで、本実施形態に係る液晶表示装置において設定が可能な動作モードとしては、例えば、上述した第１の実施形態に示したようなレジスタ値の初期設定動作や、第２の実施形態に示したようなレジスタ値の再設定動作のほか、液晶表示装置を省電力状態に移行させる省電力表示動作（省電力モード）や画像情報を高輝度で表示する高出力表示動作（高出力モード）、等の動作モードがあり、各動作モードに適したシーケンスデータが各分割領域に格納される。
【００６１】
このような構成を有する液晶表示装置によれば、表示駆動動作に先立ってＬＣＤモジュール内に設けられた各レジスタに所望の動作モードに応じたレジスタ値（初期値）が、外部記憶部に格納されたシーケンスデータに基づいて自動的に設定されるので、各動作モードごとに異なるレジスタ値を簡易に設定して、液晶表示装置（ＬＣＤモジュール）を所望の動作モードで適切に動作させることができる。
【００６２】
また、この場合においても、外部記憶部に予め格納された、複数のシーケンス制御に対応したシーケンスデータを選択的に読み出すことにより、所望の動作モードになるように各レジスタへのレジスタ値の設定動作が実行されるので、液晶表示装置の本来の画像表示動作を制御するマイクロプロセッサにおける処理負担を軽減して、良好な画像表示動作を行うことができる。
【００６３】
＜第４の実施形態＞
次に、本発明に係る表示駆動装置を適用した液晶表示装置の第４の実施形態について、図面を参照しながら説明する。
図６は、第４の実施形態に係る液晶表示装置と外部記憶部との接続関係の一例を示す概略図である。ここで、上述した各実施形態と同等の構成については、同一又は同等の符号を付してその説明を簡略化又は省略する。
【００６４】
本実施形態に係る液晶表示装置は、上述した第１の実施形態に示したような構成（図１参照）を有するＬＣＤモジュールを複数備え、各ＬＣＤモジュールに対して共通の外部記憶部を用いて同一のシーケンス制御を実行することにより、各ＬＣＤモジュールのレジスタに同一のレジスタ値を設定するようにした構成を有している。
具体的には、本実施形態に係る液晶表示装置は、図６に示すように、各々、上述した第１の実施形態と同等の構成を有する複数（図では、２個）のＬＣＤモジュールＭＤＬ１、ＭＤＬ２と、各ＬＣＤモジュールＭＤＬ１、ＭＤＬ２に設けられた入力制御部（図示を省略）が、並列に配設された信号配線を介して、共通に接続された唯一の外部記憶部ＲＯＭと、を備えた構成を有している。
【００６５】
また、本実施形態においては、上記複数のＬＣＤモジュールＭＤＬ１、ＭＤＬ２のうち、主画面となる液晶表示パネルを備えたＬＣＤモジュール（以下、便宜的に「主モジュール」と記す）ＭＤＬ１の入出力制御部から外部記憶部ＲＯＭに対して出力されるメモリアクセス用の制御信号ＥＣＳ、ＳＫを、上記主モジュールＭＤＬ１以外の他のＬＣＤモジュール（以下、便宜的に「副モジュール」と記す）ＭＤＬ２において検知して、外部記憶部ＲＯＭから読み出されたシーケンスデータ（読出しデータＤＯ）が、主モジュールＭＤＬ１及び副モジュールＭＤＬ２の双方に、同時に並行して供給されるように構成されている。ここで、主モジュールＭＤＬ１から外部記憶部ＲＯＭに出力される制御信号（アドレス指定データ）ＤＩは、副モジュールＭＤＬ２においては検知されない。
【００６６】
なお、図６において、各ＬＣＤモジュール（主モジュール及び副モジュール）ＭＤＬ１、ＭＤＬ２に入力される信号ＥＡＤは、複数のＬＣＤモジュール間において、主モジュール又は副モジュールとなるＬＣＤモジュールを個別に設定する画面設定信号であって、例えば、信号ＥＡＤがロー（Ｌｏ）レベルのとき、当該ＬＣＤモジュールは主モジュールとして設定され、信号ＥＡＤがハイ（Ｈｉ）レベルのとき、当該ＬＣＤモジュールが副モジュールとして設定されるように構成されている。この画面設定信号ＥＡＤは、ＬＣＤモジュールＭＤＬ１、ＭＤＬ２に設けられた制御端子を介して、外部から直接供給されるものであってもよいし、当該画面設定信号ＥＡＤを規定するレジスタを備えるものであってもよい。
また、本実施形態に係る液晶表示装置に適用される外部記憶部ＲＯＭに格納されるシーケンスデータは、例えば、上述した第１乃至第３の実施形態と同等のデータ構造を有しているものを良好に適用することができる。
【００６７】
これにより、上述した第１の実施形態（図２（ａ）参照）と同様に、主モジュールＭＤＬ１の入出力制御部から信号配線を介して、外部記憶部ＲＯＭに対して主モジュールＭＤＬ１の内部レジスタ（レジスタ１８０に相当する）へのレジスタ値設定動作（例えば、第１の実施形態に示したレジスタの初期設定動作や、第２の実施形態に示した再設定動作等）を実行するためのシーケンスデータを読み出すために、メモリアクセス用の制御信号ＥＣＳ、ＳＫ及びＤＩを供給した場合、副モジュールＭＤＬ２は、この制御信号ＥＣＳ、ＳＫを検知して、外部記憶部ＲＯＭから読み出されて、主モジュールＭＤＬ１に供給されるシーケンスデータ（読出しデータＤＯ）を同時に並行して取り込んで、副モジュールＭＤＬ２の内部レジスタに対して、当該シーケンスデータに基づくレジスタ値の設定動作を実行する。
【００６８】
したがって、このような構成を有する液晶表示装置によれば、唯一の外部記憶部を備えた構成により、複数のＬＣＤモジュールに対して、同一のシーケンス制御により、同時に同一のレジスタ値を設定することができるので、各ＬＣＤモジュールに対してレジスタ値を個別の設定動作により設定する場合に比較して、当該設定動作に要する処理時間を大幅に短縮することができるとともに、液晶表示装置の画像表示動作を制御するマイクロプロセッサの処理負担を大幅に軽減することができる。
【００６９】
また、本実施形態に係る液晶表示装置によれば、複数のＬＣＤモジュールに対して共通に設けられた唯一の外部記憶部に格納されたシーケンスデータを用いて、各ＬＣＤモジュール内に設けられたレジスタに所定のレジスタ値を同時に設定することができるので、各ＬＣＤモジュールに対して個別の外部記憶部を設けた構成に比較して、ＬＣＤモジュール（液晶表示装置）を構成する部品点数を削減して製品コストの削減を図ることができる。
なお、本実施形態に示すような複数のＬＣＤモジュールを備えた電子機器としては、例えば、近年普及が著しい携帯電話等であって、操作面側に主表示パネルを備え、筐体外面側に副表示パネルを備えた構成のものに良好に適用することができる。
【００７０】
＜第５の実施形態＞
次に、本発明に係る表示駆動装置を適用した液晶表示装置の第５の実施形態について、図面を参照しながら説明する。
図７は、第５の実施形態に係る液晶表示装置と外部記憶部との接続関係の一例を示す概略図である。ここで、上述した各実施形態と同等の構成については、同一又は同等の符号を付してその説明を簡略化又は省略する。
【００７１】
本実施形態に係る液晶表示装置は、上述した第４の実施形態と同様に、ＬＣＤモジュールを複数備え、各ＬＣＤモジュールに対して共通の外部記憶部から読み出されるシーケンスデータを用いて異なるシーケンス制御を実行し、各ＬＣＤモジュールにおいて該シーケンス制御によるレジスタ値の有効、無効を判断して、各レジスタに個別のレジスタ値を設定するようにした構成を有している。
【００７２】
具体的には、本実施形態に係る液晶表示装置は、図７に示すように、少なくとも、相互に同一の機能を有するレジスタを備えた複数（図では、２個）のＬＣＤモジュールＭＤＬ１、ＭＤＬ２と、各ＬＣＤモジュールＭＤＬ１、ＭＤＬ２に対して、並列に配設された信号配線を介して、共通に接続された唯一の外部記憶部ＲＯＭと、を備えた構成を有し、さらに、各ＬＣＤモジュールＭＤＬ１、ＭＤＬ２において、画面設定信号ＥＡＤの信号レベルに応じて、外部記憶部ＲＯＭの所定のアドレスから読み出され、複数のＬＣＤモジュールＭＤＬ１、ＭＤＬ２に同時に並行して供給されるシーケンスデータ（読出しデータＤＯ）の有効又は無効を判断する設定値制御手段２００を備えるように構成されている。
【００７３】
すなわち、設定値制御手段２００は、例えば、画面設定信号ＥＡＤの信号レベルを適宜設定することにより、各ＬＣＤモジュールＭＤＬ１、ＭＤＬ２を主モジュールとするか副モジュールとするかを設定し、これにより、外部記憶部ＲＯＭから読み出されたシーケンスデータ（レジスタインデックスＩＸ及びレジスタ値ＲＥＧ）に対して、各ＬＣＤモジュールＭＤＬ１、ＭＤＬ２の内部に設けられた各レジスタの機能を有効状態とするか無効状態とするかを切り換え制御する。
【００７４】
これにより、例えば、図７に示すように、主モジュールであるＬＣＤモジュールＭＤＬ１及び副モジュールであるＬＣＤモジュールＭＤＬ２の各々に設けられ、外部記憶部ＲＯＭに格納されたレジスタインデックスＩＸ＝ａに対応するレジスタは、当該レジスタインデックスＩＸ＝ａを含むシーケンスデータ（読出しデータＤＯ）に対して有効状態に設定されていることにより、外部記憶部ＲＯＭから読み出されたレジスタ値ＲＥＧ＝ＲＥＧａが、主モジュールＭＤＬ１及び副モジュールＭＤＬ２の各レジスタに共通に設定される。
【００７５】
一方、例えば、外部記憶部ＲＯＭに格納されたレジスタインデックスＩＸ＝ｂ１に対応するレジスタにおいては、主モジュールＭＤＬ１に設けられたレジスタでは有効状態に設定され、副モジュールＭＤＬ２に設けられたレジスタでは無効状態に設定されていることにより、外部記憶部ＲＯＭから読み出されたレジスタ値ＲＥＧ＝ＲＥＧｂ１は、主モジュールＭＤＬ１のレジスタにのみ有効に設定され、副モジュールＭＤＬ２のレジスタに対しては（読み込み動作が行われるだけで）設定されない。
【００７６】
これに対して、例えば、外部記憶部ＲＯＭに格納されたレジスタインデックスＩＸ＝ｂ２に対応するレジスタにおいては、主モジュールＭＤＬ１に設けられたレジスタでは無効状態に設定され、副モジュールＭＤＬ２に設けられたレジスタでは有効状態に設定されていることにより、外部記憶部ＲＯＭから読み出されたレジスタ値ＲＥＧ＝ＲＥＧｂ２は、副モジュールＭＤＬ２のレジスタにのみ有効に設定され、主モジュールＭＤＬ１のレジスタに対しては（読み込み動作が行われるだけで）設定されない。
【００７７】
なお、図７においては、図示を省略したが、例えば、上述した第１の実施形態と同様に、主モジュールＭＤＬ１の入出力制御部から信号配線を介して、外部記憶部ＲＯＭに対してメモリアクセス用の制御信号ＥＣＳ、ＳＫ及びＤＩが供給されるように構成されている。また、本実施形態においても、外部記憶部ＲＯＭに格納されるシーケンスデータは、上述した第１乃至第３の実施形態と同等のデータ構造を有しているものを良好に適用することができる。
【００７８】
したがって、このような構成を有する液晶表示装置によれば、上述した第４の実施形態と同様に、唯一の外部記憶部を備えた構成により、相互に同一のレジスタ構成を有する複数のＬＣＤモジュールに共通にシーケンスデータを供給しつつ、有効状態に設定されたレジスタに対してのみ、レジスタ値が設定されることになるので、各ＬＣＤモジュールの特定のレジスタに対して個別のレジスタ値を設定する動作を比較的短い時間で実行することができるとともに、各ＬＣＤモジュールを異なる動作モードで動作させることができる。
また、この場合においても、液晶表示装置の画像表示動作を制御するマイクロプロセッサの処理負担を大幅に軽減することができるとともに、複数のＬＣＤモジュールに対して共通に設けられた唯一の外部記憶部を備えた構成を適用することができるので、液晶表示装置を構成する部品点数を削減して製品コストの削減を図ることができる。
【００７９】
なお、上述した各実施形態においては、本実施形態に係る表示駆動装置を液晶表示装置に適用した場合について説明したが、本発明はこれに限定されるものではなく、要するに、負荷（表示パネル）の駆動状態を多様化又は多機能化するために、モジュール内部に多数のレジスタを備えた構成であって、これらのレジスタに所望のレジスタ値を設定することにより負荷の動作モードを規定する構成に良好に適用することができる。
また、上述した各実施形態においては、液晶表示装置に設けられたレジスタにレジスタ値を設定するためのシーケンスデータを格納する手段として、ＬＣＤモジュールの外部に記憶部（ＥＥＰＲＯＭ）を設けた構成を示したが、本発明はこれに限定されるものではなく、ＬＣＤモジュール内に一体的に設けられた構成を有するものであっても良い。
【図面の簡単な説明】
【００８０】
【図１】本発明に係る表示駆動装置を適用した液晶表示装置の第１の実施形態を示す概略ブロック図である。
【図２】本実施形態に係る液晶表示装置と外部記憶部との接続関係、及び、外部記憶部に格納されたシーケンスデータのデータ構造の一例を示す概念図である。
【図３】本実施形態に係る液晶表示装置に適用されるレジスタの初期設定動作に係るシーケンス制御の一例を示すタイミングチャートである。
【図４】第２の実施形態に係る液晶表示装置に適用される外部記憶部に格納されたシーケンスデータのデータ構造の一例を示す概念図である。
【図５】第３の実施形態に係る液晶表示装置に適用される外部記憶部に格納されたシーケンスデータのデータ構造の一例を示す概念図である。
【図６】第４の実施形態に係る液晶表示装置と外部記憶部との接続関係の一例を示す概略図である。
【図７】第５の実施形態に係る液晶表示装置と外部記憶部との接続関係の一例を示す概略図である。
【図８】従来技術における薄膜トランジスタ（ＴＦＴ）型の表示パネルを備えた液晶表示装置の概略構成を示すブロック図である。
【図９】従来技術における液晶表示装置の表示駆動制御の一例を示すタイミングチャートである。
【符号の説明】
【００８１】
１００      液晶表示装置
１１０      液晶表示パネル
１２０      ゲートドライバ
１３０      ソースドライバ
１４０      ＬＣＤコントローラ
１５０      表示信号生成回路
１７０      入出力制御部
１８０      レジスタ
ＲＯＭ      外部記憶部
ＭＰＵ      マイクロプロセッサユニット
【図１】
2005070232.tif 000003
【図２】
2005070232.tif 000004
【図３】
2005070232.tif 000005
【図４】
2005070232.tif 000006
【図５】
2005070232.tif 000007
【図６】
2005070232.tif 000008
【図７】
2005070232.tif 000009
【図８】
2005070232.tif 000010
【図９】
2005070232.tif 000011